(57)【特許請求の範囲】
【請求項１】
キャビネット本体と、前記キャビネット本体に収納する加熱調理器本体と、前記キャビネット本体の前部を構成するキャビネット前とを備え、前記加熱調理器本体は被加熱物を収納する加熱室と、前記被加熱物をヒーター加熱するヒーターと、前記被加熱物を高周波加熱する高周波発生装置と、前記高周波発生装置に電力を供給する電源装置と、前記電源装置と前記高周波発生装置とを冷却する送風機と、前記加熱調理器本体の外郭を構成する匡体と、前記加熱室の排気を前記加熱調理器本体の前部に排出するため前記匡体上部に設置した排気ガイドと前記匡体上面に設けた冷却孔とを有し、前記送風機を加熱調理器底面に取り付け、対向する位置に前記冷却孔を設ける構成とすることにより、高周波加熱時およびヒーター加熱時ともに、冷却風が前記送風機から前記冷却孔への下から上に向かう風路として一致する加熱調理器。
【請求項２】
排気ガイドを加熱調理器本体の一部を利用して構成する請求項１記載の加熱調理器。
【請求項３】
加熱調理器本体冷却用孔にガイドを設け冷却風を前部に排出する構成とした請求項１記載の加熱調理器。
【請求項４】
加熱調理器本体の上前部に整流板を設けた請求項１記載の加熱調理器。
【請求項５】
キャビネット本体にスライド式断熱板を設けた請求項１記載の加熱調理器。
【請求項６】
キャビネット本体と加熱調理器本体の間に斜めに断熱板を設けた請求項１記載の加熱調理器。
【発明の詳細な説明】
【０００１】
【発明の属する技術分野】
本発明は被調理物を加熱調理するオーブン機能と高周波機能とを有する加熱調理器に関し、特にキッチン組込式加熱調理器に関するものである。
【０００２】
【従来の技術】
図１６は従来のキッチン組込式加熱調理器の組立てを示す概略斜視図を示す。図において１はキャビネット本体で、このキャビネット本体１に加熱調理器本体２を収納し、前面にキャビネット前３を取り付ける構成となっている。なお、加熱調理器本体には排気ユニット４が設けられている。
【０００３】
この種の加熱調理器は大別して被調理物を加熱する加熱室５と電気室６とより構成されている。電気室６には高周波発生装置７および電源装置８等が収納されている。この縦断面図を図１７および図１８に示す。高周波加熱時の風路は、図１７（ａ）の電気室６に示すように加熱調理器背面板９に取り付けられた送風機１０がキャビネット前３の下部から吸気し、加熱調理器背面板９に設けられた通気口１１から冷却風を吸い込んで、高周波発生装置７および電源装置８を冷却後、キャビネット前３から冷却風を排気する風路Ａと、図１８の加熱室縦断面図に示すように加熱室５内部の排気は排気ユニット４でキャビネット前３の上部から排気される風路Ｂの２つの風路からなっていた。また、図１７（ｂ）は電気室６の縦断面でヒーター加熱時の場合を示す。この場合の風路はキャビネット前３の下部から吸気し、加熱調理器底面板１２の開口から冷却風を吸い込んで、高周波発生装置７と電源装置８を冷却し、加熱調理器背面板９に設けられた通気口１１から排気ユニット４を通じてキャビネット前の上部から排気される風路Ｃからなっていた。
【０００４】
【発明が解決しようとする課題】
しかしながら上記従来の構成では、ヒーター加熱時と高周波加熱時の冷却風路が違うため各々の冷却風路を個別に設計したうえで、各々を組み合わせる検討を行なうため、設計検討が複雑で時間を必要とし構造も複雑になるという問題を有していた。
【０００５】
【課題を解決するための手段】
本発明は上記課題を解決するために、高周波加熱時とヒーター加熱時との冷却風路と排気風路とが近似するように構成した。すなわち、加熱調理器本体の外部を構成する匡体上部に加熱室の排気を加熱調理器本体の前部に排出するための排気ガイドと匡体上面に冷却孔とを設け、しかも、高周波加熱時の風路とヒーター加熱時の風路を一致させるために、前記送風機を加熱調理器底面に取り付け、対向する位置に前記冷却孔を設ける構成とした。
【０００６】
そして、高周波加熱時とヒーター加熱時の風路を一致することができるため、加熱調理器の冷却効率を向上させることができる。
【０００７】
【発明の実施の形態】
本発明はキャビネット本体と、前記キャビネット本体に収納する加熱調理器本体と、前記キャビネット本体の前部を構成するキャビネット前とを備え、前記加熱調理器本体は被加熱物を収納する加熱室と、前記被加熱物をヒーター加熱するヒーターと、前記被加熱物を高周波加熱する高周波発生装置と、前記高周波発生装置に電力を供給する電源装置と、前記電源装置と前記高周波発生装置とを冷却する送風機と、前記加熱調理器本体の外郭を構成する匡体と、前記加熱室の排気を前記加熱調理器本体の前部に排出するため前記匡体上部に設けた排気ガイドと前記匡体上面に設けた冷却孔とを有し、高周波加熱時の風路とヒーター加熱時の風路を一致させるために、前記送風機を加熱調理器底面に取り付け、対向する位置に前記冷却孔を設ける構成とした。
【０００８】
そして、高周波加熱時とヒーター加熱時の冷却風路・排気風路を同一とすることにより加熱調理器の冷却効率を向上させることができる。
【０００９】
さらに、排気ガイドを加熱調理器本体の一部を利用して構成したものである。
【００１０】
そして、排気ガイドのみであれば形状の作成は容易であるため、加熱調理器本体に悪影響を及ぼさない位置で排気が可能となり冷却構造設計が容易となる。
【００１１】
さらに、加熱調理器本体冷却用孔にガイドを設け冷却風を前部に排出する構成としたものである。
【００１２】
そして、加熱室の被加熱物を高周波加熱する高周波を発生させる高周波発生装置と、高周波発生装置に電力を供給する電源装置とを冷却した排気を完全に他と分離してキャビネット前上部より排出できるため、他から影響を受けない、かつ、他に影響を及ぼさない風路が形成できるので理想的な冷却設計が行える。
【００１３】
さらに、加熱調理器本体の上前部に整流板を設けたものである。
【００１４】
そして、整流板が、加熱調理器本体とキャビネットとの間から放出される排気方向を変え、温度で法的規制を受ける把手に直接当たることを防止できるうえ、キャビネット前部をつたってくる煮汁が加熱調理器本体上部に浸入することを防止できる。
【００１５】
さらに、キャビネット本体にスライド式断熱板を設けたものである。
【００１６】
そして、キャビネット外の機器に対し、スライド式断熱板を使用することで加熱調理器本体から発せられる高周波加熱時とヒーター加熱時の熱的影響をなくすことができるとともに、キャビネット本体の奥行きに自由度が発生するので、あらゆる奥行きのシステムキッチン等へ容易に設置することが可能となる。
【００１７】
さらに、キャビネット本体と加熱調理器本体の間に斜めに断熱板を設けたものである。
【００１８】
そして、キャビネット外に排出される冷却風のドラフト効果を増長させ、冷却性能を向上させることが可能となる。
【００１９】
以下、本発明の実施例について図面を用いて説明する。
【００２０】
（実施例１）
図１は、本発明の実施例１の加熱調理器の組立てを示す概略斜視図で基本的には従来例とほぼ同じ構成である。なお、従来例と同一機能を有する構成には同一符号を付した。
【００２１】
図２（ａ）（ｂ）は電気部品収納部である電気室の縦断面図、図３（ａ）（ｂ）は加熱室の縦断面図である。
【００２２】
図１に全体の組み合わせ構成を示す。本発明では、排気ガイド１３を備える加熱調理器本体２を、キャビネット本体１とキャビネット前３により構成する。そしてキャビネットに収納したうえで加熱調理器として通常キッチンに据え付ける。
【００２３】
図２（ａ）において、匡体１４上面に冷却孔１５を設ける。この冷却孔１５の位置は、図１に示すように排気ガイド１３を取付ける位置とは異なる位置に設ける構成となっている。
【００２４】
この構成では、高周波加熱時には、図２（ａ）に示すように、加熱調理器背面板９に取り付けられた送風機１０が、キャビネット前３の下部から吸気し、加熱調理器背面板９に設けられた通気口１１から冷却風を吸い込んで、ガイド１６で整流され、高周波発生装置７と電源装置８を冷却後、匡体１４上部の冷却孔１５を通過し、キャビネット前３の上部から冷却風を排気する風路Ｄを形成すると共に、図３（ａ）に示すように加熱室５内部の排気は排気ガイド１３でキャビネット前３の上部から排気する風路Ｅを形成する。
【００２５】
また、ヒーター加熱時には、図２（ｂ）に示すように、キャビネット前３の下部から吸気し、加熱調理器底面板１２から冷却風を吸い込んで、高周波発生装置７と電源装置８を冷却後、匡体１４の上部の冷却孔１５を通過し、キャビネット前３上部から冷却風を排気する風路Ｆを形成し、かつ図３（ｂ）に示すように加熱室５の排気は排気ガイド１９でキャビネット前１５の上部から排気される風路Ｇを形成していた。
【００２６】
次に、作用を説明する。
【００２７】
図２および図３に示すように高周波加熱時における冷却風の風路Ｄと排気風の風路Ｅとが、オーブン加熱時における冷却風の風路Ｆと排気風の風路Ｇとが近似されているため、冷却性能という点では非常に高いうえ、特に加熱室５の排気は排気ガス１６を使用して直接キャビネット本体３外に吸気の位置と離れた位置に排気しているため吸気と排気の分離が確実に行える点も冷却性能向上に寄与しているうえ、冷却風および排気風の流れが下から上に流れるという点においても自然の摂理にかなっているため冷却性能向上が可能となる。
【００２８】
さらに、排気ファンユニットも不必要となるためコストダウンも可能となるうえ、省資源的立場で考えれば非常に有効である。
【００２９】
なお、冷却孔１５は、図４に示すようにルーバー形状であっても同様の効果が得られる。
【００３０】
また、図５に示すように、送風機１０を加熱調理器底面１２に取り付け、対向する位置に匡体１４の冷却孔１５を設ければ、高周波加熱時の風路Ｄとヒーター加熱時の風路Ｆを完全に一致させることが可能となり、更なる冷却性能向上が図れると共に、部品を極力少なくすることが可能となるので、省資源に非常に有効である。
【００３１】
（実施例２）
図６は本実施例の加熱調理器の組立てを示す概略斜視図であり、図７は要部縦断面図である。
【００３２】
図７に示すように、加熱室５の排気は排気ガイド１７を通じて行うが、図６に示すように、加熱調理器本体の一部を利用して排気ガイド１７を構成すれば、排気ガイド１７の形状を変えるだけで、キャビネット前３の任意の部分、特に左右方向から外部に排出が可能となるので加熱調理器本体２に悪影響を及ぼさない位置で排気が容易に行え、かつ部品点数の削減は省資源に有効である。
【００３３】
（実施例３）
図８は本実施例の加熱調理器の組立てを示す概略斜視図であり、図９は要部縦断面図である。また、図１０は他の応用例における要部縦断面図である。
【００３４】
図８において、加熱調理器本体２の冷却孔１５にガイド１８を設けたものである。このようにすると、図９に示すように、高周波を発生させる高周波発生装置７と、高周波発生装置７に電力を供給する電源装置８とを冷却した排気を完全に加熱室５からの排気と分離し、キャビネット前３の上部より排出できるため、高周波発生装置７と、電源装置８とを冷却した排気を完全に加熱室５からの排気と分離して排出できるため、他から影響を受けない、かつ、他に影響を及ぼさない風路が形成できる。
【００３５】
また、図１０に示すように加熱調理器背面板９にある冷却孔１９もガイド２０で覆い、排気面積を増やして排気を行えば、さらなる効果が得られる。
【００３６】
（実施例４）
図１１は、本実施例の要部縦断面図である。
【００３７】
図１１において、キャビネット前３の上部排気部の手前に整流板２１を設けると法規で規制される把手などに排気が直接当たることを防止できるため、冷却設計が容易となる。
【００３８】
また、煮汁が加熱調理器本体２を伝って冷却孔１５より浸入し加熱調理器本体２の内部に浸入し誤動作を起こすことも防止出来る。
【００３９】
（実施例５）
図１２は本実施例の加熱調理器の組立てを示す概略斜視図であり、図１３は要部縦断面図である。また、図１４はその応用例である。
【００４０】
図１２に示すように、スライド式断熱板２２をキャビネット本体１上に設けたものである。こういう構成にすると、図１３に示すようにキャビネット外の機器に対し、スライド式断熱板２２を使用するため、加熱調理器本体から発せられる高周波加熱時とヒーター加熱時における、後部から熱気が回り込むことが原因となる熱的影響をなくすことができるとともに、スライド式断熱板２２が、製品据え付け時に奥行き方向のストッパーの役目を果たすため、キッチンに据え付ける場合あらゆる奥行きのキッチンへ容易に設置することが可能となる。
【００４１】
また、図１４に示す如くスライド式断熱式２２が上のみを遮蔽する構成でも同様の効果が得られる。
【００４２】
（実施例６）
図１５は、本実施例の要部縦断面図である。
【００４３】
図１５で、断熱板２３を加熱調理器本体２とキャビネット本体１との間に斜めに設けると、特にヒーター加熱時における風路Ｈのドラフト効果を増長させることが可能となり、冷却性能の更なる向上が図れる。
【００４４】
更に、加熱調理器本体２とキャビネット本体１との間に断熱板２３があるため、特にヒーター加熱時に加熱調理器本体２から発生する熱から、キャビネット本体１を遮熱できるため外部周辺機器にたいしても温度的にも有利である。
【００４５】
【発明の効果】
以上の説明から明らかのように本発明の加熱調理器によれば、次の効果が得られる。
【００４６】
匡体上部に加熱調理器本体冷却用孔の位置を排気ガイドを取付ける位置と別の位置に設けることにより、高周波加熱時とヒーター加熱時の冷却風路および排気風路を同一とすることができ加熱調理器の冷却効率を向上させることができる。
【００４７】
また、排気ガイドを加熱調理器本体の一部を利用して構成することにより、排気ガイドの形状作成を容易にし、加熱調理器本体に悪影響を及ぼさない位置で排気が可能となり、冷却構造設計が容易ならしめる。
【００４８】
また、加熱調理器本体冷却孔にガイドを設け冷却風を前部に排出する構成とすることにより、加熱室の被加熱物を高周波加熱する高周波を発生させる高周波発生装置と、高周波発生装置に電力を供給する電源装置とを冷却した排気を完全に加熱室からの排気と分離してキャビネット前上部より排出させ、他から影響を受けない、かつ他に影響を及ぼさない風化が形成できるので効率のよい冷却設計が行える。
【００４９】
また、加熱調理器本体の上前部に整流板を設けることにより、整流板が加熱調理器本体とキャビネットとの間から放出される排気方向を変え、温度で法的規制を受ける把手に直接当たることを防止できるうえ、キャビネット前部をつたってくる煮汁が加熱調理器本体上部に浸入することを防止できる。
【００５０】
また、キャビネット本体にスライド式断熱板を設けることにより、加熱調理器本体から発せられる高周波加熱時とヒーター加熱時の熱的影響をなくすことができるとともに、キャビネット本体の奥行きに自由度が発生するのであらゆる奥行きのシステムキッチン等へ、容易に設置することが可能とするものである。
【００５１】
また、キャビネット本体と加熱調理器本体の間に斜めに断熱板を設けることにより、キャビネット外に排出される冷却風のドラフト効果を増長させ、冷却性能を向上させることが可能となる。
【図面の簡単な説明】
【図１】  本発明の実施例１における加熱調理器の組立てを示す概略斜視図
【図２】  （ａ）同加熱調理器の高周波加熱時の風路を示す電気室部断面図
（ｂ）同加熱調理器のヒーター加熱時の風路を示す電気室部断面図
【図３】  （ａ）同加熱調理器の高周波加熱時の風路を示す加熱室断面図
（ｂ）同加熱調理器のヒーター加熱時の風路を示す電気室部断面図
【図４】  同加熱調理器の匡体排気部の要部断面図
【図５】  同加熱調理器の風路を示す電気室部断面図
【図６】  本発明の実施例２における加熱調理器の組立てを示す概略斜視図
【図７】  同加熱調理器の加熱室部断面図
【図８】  本発明の実施例３における加熱調理器の組立てを示す概略斜視図
【図９】  同加熱調理器の電気室部断面図
【図１０】  同加熱調理器の他の実施例の電気室部断面図
【図１１】  本発明の実施例４における加熱調理器の電気室部断面図
【図１２】  本発明の実施例５における加熱調理器の組立てを示す概略斜視図
【図１３】  同加熱調理器の要部断面図
【図１４】  同加熱調理器の組立てを示す概略斜視図
【図１５】  本発明の実施例６における加熱調理器の電気室部断面図
【図１６】  従来の加熱調理器の組立てを示す概略斜視図
【図１７】  （ａ）同加熱調理器の高周波加熱時の風路を示す電気室部断面図
（ｂ）同加熱調理器のヒーター加熱時の風路を示す電気室部断面図
【図１８】  同加熱調理器の高周波加熱時の風路を示す加熱室部断面図
【符号の説明】
１  キャビネット本体
２  加熱調理器本体
３  キャビネット前
５  加熱室
６  電気室
７  高周波発生装置
８  電源装置
１０  送風機
１３、１６、１７  排気ガイド
１４  匡体
１５、１９  冷却孔
１８、２０  ガイド
２１  整流板
２２  スライド式断熱板
２３  断熱板
【図１】
0003777714.tif 000002
【図２】
0003777714.tif 000003
【図３】
0003777714.tif 000004
【図４】
0003777714.tif 000005
【図５】
0003777714.tif 000006
【図６】
0003777714.tif 000007
【図７】
0003777714.tif 000008
【図８】
0003777714.tif 000009
【図９】
0003777714.tif 000010
【図１０】
0003777714.tif 000011
【図１１】
0003777714.tif 000012
【図１２】
0003777714.tif 000013
【図１３】
0003777714.tif 000014
【図１４】
0003777714.tif 000015
【図１５】
0003777714.tif 000016
【図１６】
0003777714.tif 000017
【図１７】
0003777714.tif 000018
【図１８】
0003777714.tif 000019